(57)【要約】【課題】押圧操作された状態で操作部材が回転して誤信号が発生するのを確実に防止すること。【解決手段】操作部材３の回転操作に伴って信号を出力する回転型エンコーダ６と、操作部材３の押圧操作に伴って作動するスイッチ機構７と、操作部材３の押圧操作時に当該操作部材３の回転を規制する回転規制手段とを備えた複合操作入力装置１であって、回転規制手段は、共に剛性を有する材料で形成され、操作部材３の回転軸線方向に突出する突出部４０３ａ、４０３ｂと、突出部４０３ａ、４０３ｂの外形に応じた形状を有し、操作部材３の押圧操作時に突出部４０３ａ、４０３ｂを収容する収容部２０６ａ、２０６ｂを有することを特徴とする。【選択図】図２
2009152036.tif 000002
【特許請求の範囲】
【請求項１】
操作部材の回転操作に伴って信号を出力する回転型電気機構と、前記操作部材の押圧操作に伴って作動するスイッチ機構と、前記操作部材の押圧操作時に当該操作部材の回転を規制する回転規制手段とを備えた複合操作入力装置であって、
前記回転規制手段は、共に剛性を有する材料で形成され、前記操作部材の回転軸線方向に突出する突出部と、前記突出部の外形に応じた形状を有し前記操作部材の押圧操作時に前記突出部を収容する収容部とを有することを特徴とする複合操作入力装置。
【請求項２】
前記操作部材の回転軸線上の両端に設けられた回転軸部を回転可能に保持する一対の保持壁を有する支持体と、前記操作部材の押圧操作時に前記支持体を押圧動作可能に保持する筐体とを備え、前記突出部は、前記回転軸部の少なくとも一方から軸方向外側に突出形成されると共に前記操作部材の回転軸線に対して少なくとも一対の対向面部を有し、前記収容部は、前記操作部材の押圧操作時に前記一対の対向面部を収容して前記操作部材の回転を規制することを特徴とする請求項１記載の複合操作入力装置。
【請求項３】
前記突出部を前記収容部まで案内するガイド部材を備えることを特徴とする請求項１又は請求項２記載の複合操作入力装置。
【請求項４】
前記ガイド部材は、弾性を有する材料で形成され、前記操作部材の回転操作に伴う前記突出部の回転に応じてクリック感触を発生させることを特徴とする請求項３記載の複合操作入力装置。
【請求項５】
前記筐体は、前記操作部材の端部の押圧操作時に前記支持体を傾倒動作可能に保持することを特徴とする請求項２から請求項４のいずれかに記載の複合操作入力装置。
【請求項６】
前記筐体は、前記支持体の前記一対の保持壁のうち少なくとも一方を覆うと共に前記操作部材を露出させるための開口部が形成された蓋部を有し、前記蓋部に覆われた前記保持壁の前記蓋部側の端面を前記回転軸部より前記蓋部側の位置で当該蓋部に当接させ、当該保持壁と反対側の前記操作部材の端部の押圧操作時に当該保持壁の前記蓋部に対する当接点を前記支持体の傾倒支点としたことを特徴とする請求項５記載の複合操作入力装置。
【請求項７】
前記蓋部と当接する前記保持壁の端面を円弧形状としたことを特徴とする請求項６記載の複合操作入力装置。
【請求項８】
前記操作部材の押圧操作が解除された場合に前記保持壁の端面と接触し、前記支持体の位置決めを行う位置決め部を前記蓋部に設けたことを特徴とする請求項６又は請求項７記載の複合操作入力装置。
【請求項９】
前記突出部に連結される第１の回転体と、前記第１の回転体と連結されると共に前記回転型電気機構に連結される第２の回転体とを備え、前記操作部材の回転操作時には、その回転操作に伴う前記突出部の回転を前記回転型電気機構に伝達し、前記操作部材の押圧操作時には、その押圧操作に伴う前記突出部の移動を許容することを特徴とする請求項１から請求項８のいずれかに記載の複合操作入力装置。
【請求項１０】
前記支持体に前記操作部材の押圧操作方向に沿った一対の側壁を備え、一方の側壁の面と、この側壁の面と対向する前記筐体の側面との間に前記スイッチ機構を配置すると共に、他方の側壁の近傍に前記操作部材の押圧操作に伴う前記支持体の動作時にクリック感触を発生させるクリック機構を配置し、前記スイッチ機構は、前記支持体の前記側壁の面と前記筐体の側面のうち一方に設けられた固定接点と、他方に設けられ前記固定接点に摺接する摺動子と、前記支持体を初期位置に復帰させる復帰用弾性部材とを有し、前記操作部材の押圧操作に伴う前記支持体の傾倒動作時及び押圧動作時に選択的に前記摺動子が前記固定接点に接触することを特徴とする請求項２から請求項９のいずれかに記載の複合操作入力装置。
【発明の詳細な説明】
【技術分野】
【０００１】
本発明は、複合操作入力装置に関し、特に、操作部材に対する回転操作及び押圧操作を受け付ける複合操作入力装置に関する。
【背景技術】
【０００２】
従来、操作部材の回転操作に伴って信号を出力する回転型電気機構と、操作部材の押圧操作に伴って作動するスイッチ機構とを備えた複合操作入力装置においては、操作部材の押圧操作時に操作部材が回転して誤信号の発生を防止することが要請されている。例えば、特許文献１記載の複合操作入力装置においては、操作部材である円柱状操作つまみの押圧操作時には、節度ばねの弾性ダボが駆動部材の放射状凹凸部の凹部内にはまり込んだ状態を維持しつつスイッチ機構であるプッシュスイッチを作動させることにより、円柱状操作つまみが回転しないように構成されている。
【特許文献１】特許第３９３１５３２号明細書
【発明の開示】
【発明が解決しようとする課題】
【０００３】
しかしながら、上述したような従来の複合操作入力装置においては、押圧操作時に円柱状操作つまみに接線方向の力が加わった場合、節度ばねが弾性体であることから、弾性ダボが駆動部材の放射状凹凸部の凹部内から抜けて円柱状操作つまみが回転し、回転型電気機構である回転型エンコーダから誤って信号が発生し得るという問題がある。
【０００４】
本発明はこのような問題点に鑑みてなされたものであり、押圧操作された状態で操作部材が回転して誤信号が発生するのを確実に防止することができる複合操作入力装置を提供することを目的とする。
【課題を解決するための手段】
【０００５】
本発明の複合操作入力装置は、操作部材の回転操作に伴って信号を出力する回転型電気機構と、前記操作部材の押圧操作に伴って作動するスイッチ機構と、前記操作部材の押圧操作時に当該操作部材の回転を規制する回転規制手段とを備えた複合操作入力装置であって、前記回転規制手段は、共に剛性を有する材料で形成され、前記操作部材の回転軸線方向に突出する突出部と、前記突出部の外形に応じた形状を有し前記操作部材の押圧操作時に前記突出部を収容する収容部とを有することを特徴とする。
【０００６】
上記複合操作入力装置によれば、操作部材の押圧操作時に突出部が、剛性を有する材料で形成され、突出部の外形に応じた形状を有する剛性の収容部に収容されることから、操作部材に接線方向の力が加わった場合においても操作部材が回転することがない。このため、押圧操作された状態で操作部材が回転して回転型電気機構から誤信号が発生するのを確実に防止することが可能となる。
【０００７】
上記複合操作入力装置においては、前記操作部材の回転軸線上の両端に設けられた回転軸部を回転可能に保持する一対の保持壁を有する支持体と、前記操作部材の押圧操作時に前記支持体を押圧動作可能に保持する筐体とを備え、前記突出部は、前記回転軸部の少なくとも一方から軸方向外側に突出形成されると共に前記操作部材の回転軸線に対して少なくとも一対の対向面部を有し、前記収容部は、前記操作部材の押圧操作時に前記一対の対向面部を収容して前記操作部材の回転を規制することが好ましい。この場合には、操作部材の押圧操作時に突出部に設けられた一対の対向面部が収容部に収容され、操作部材の回転が規制されることから、簡単な構成で確実に押圧操作された状態で操作部材が回転するのを防止でき、当該回転に起因する誤信号の発生を防止することが可能となる。
【０００８】
上記複合操作入力装置においては、前記突出部を前記収容部まで案内するガイド部材を備えることが好ましい。この場合には、突出部がガイド部材により収容部まで案内されることから、操作部材に対する押圧操作に応じて確実に突出部を収容部に収容することが可能となる。
【０００９】
特に、上記複合操作入力装置において、前記ガイド部材は、弾性を有する材料で形成され、前記操作部材の回転操作に伴う前記突出部の回転に応じてクリック感触を発生させることが好ましい。この場合には、ガイド部材に、突出部を収容部に案内する機能と、操作部材の回転操作時にクリック感触を発生させる機能とを持たせることができるので、装置内の部品点数を削減することができ、製造に要するコストを低減することが可能となる。
【００１０】
また、上記複合操作入力装置において、前記筐体は、前記操作部材の端部の押圧操作時に前記支持体を傾倒動作可能に保持することが好ましい。この場合には、操作部材の端部の押圧操作に応じて支持体を傾倒動作させることができるので、この傾倒動作に応じて突出部を収容部に収容させることで、操作部材の端部が押圧操作された状態で操作部材が回転して回転型電気機構から誤信号が発生するのを確実に防止することが可能となる。
【００１１】
さらに、上記複合操作入力装置において、前記筐体は、前記支持体の前記一対の保持壁のうち少なくとも一方を覆うと共に前記操作部材を露出させるための開口部が形成された蓋部を有し、前記蓋部に覆われた前記保持壁の前記蓋部側の端面を前記回転軸部より前記蓋部側の位置で当該蓋部に当接させ、当該保持壁と反対側の前記操作部材の端部の押圧操作時に当該保持壁の前記蓋部に対する当接点を前記支持体の傾倒支点とすることが好ましい。この場合には、支持体の傾倒支点が操作部材の回転軸部よりも蓋部側であって、操作部材の軸方向外側に配置されることから、この支持体に保持される操作部材の傾倒量を大きく確保することが可能となる。
【００１２】
特に、上記複合操作入力装置においては、前記蓋部と当接する前記保持壁の端面を円弧形状とすることが好ましい。この場合には、蓋部と当接する保持壁の端面が円弧形状とされることから、支持体に保持される操作部材にスムーズに傾倒動作を行わせることが可能となる。
【００１３】
また、上記複合操作入力装置においては、前記操作部材の押圧操作が解除された場合に前記保持壁の端面と接触し、前記支持体の位置決めを行う位置決め部を前記蓋部に設けることが好ましい。この場合には、蓋部に設けた位置決め部により、簡単に操作部材の押圧操作が解除された際の支持体の位置決めを行うことが可能となる。
【００１４】
さらに、上記複合操作入力装置においては、前記突出部に連結される第１の回転体と、前記第１の回転体と連結されると共に前記回転型電気機構に連結される第２の回転体とを備え、前記操作部材の回転操作時には、その回転操作に伴う前記突出部の回転を前記回転型電気機構に伝達し、前記操作部材の押圧操作時には、その押圧操作に伴う前記突出部の移動を許容することが好ましい。この場合には、第１及び第２の回転体を介して操作部材の回転操作時には、その回転操作に伴う突出部の回転を回転型電気機構に伝達し、操作部材の押圧操作時には、その押圧操作に伴う突出部の移動を許容するので、操作部材に対する押圧操作に伴って回転型電気機構から信号が出力されるような事態を確実に防止することが可能となる。
【００１５】
さらに、上記複合操作入力装置においては、前記支持体に前記操作部材の押圧操作方向に沿った一対の側壁を備え、一方の側壁の面と、この側壁の面と対向する前記筐体の側面との間に前記スイッチ機構を配置すると共に、他方の側壁の近傍に前記操作部材の押圧操作に伴う前記支持体の動作時にクリック感触を発生させるクリック機構を配置し、前記スイッチ機構は、前記支持体の前記側壁の面と前記筐体の側面のうち一方に設けられた固定接点と、他方に設けられ前記固定接点に摺接する摺動子と、前記支持体を初期位置に復帰させる復帰用弾性部材とを有し、前記操作部材の押圧操作に伴う前記支持体の傾倒動作時及び押圧動作時に選択的に前記摺動子が前記固定接点に接触することが好ましい。この場合には、スイッチ機構とは別にクリック機構が配設され、このクリック機構により操作部材の押圧操作に伴う支持体の動作に応じてクリック感触を発生させることができるので、操作部材の中央部又は端部に対する押圧操作が行われた場合に均一なクリック感触を操作者に付与することが可能となる。
【発明の効果】
【００１６】
本発明によれば、操作部材の押圧操作時に突出部が、剛性を有する材料で形成され、突出部の外形に応じた形状を有する剛性の収容部に収容されることから、操作部材に接線方向の力が加わっても操作部材が回転することがない。このため、押圧操作された状態で操作部材が回転して回転型電気機構から誤信号が発生するのを確実に防止することが可能となる。
【発明を実施するための最良の形態】
【００１７】
以下、本発明の一実施の形態について添付図面を参照して詳細に説明する。本実施の形態に係る複合操作入力装置は、操作者から操作部材を介して回転操作及び押圧操作を受け付けるものであり、例えば、携帯電話機やゲーム機等の操作入力部に適用される。しかしながら、本実施の形態に係る複合操作入力装置が適用される対象機器については、これに限定されるものではなく、任意の機器に適用することが可能である。
【００１８】
図１は、本発明の一実施の形態に係る複合操作入力装置（以下、単に「入力装置」という）１の外観を示す斜視図である。図２は、本実施の形態に係る入力装置１の分解斜視図である。図３は、図１に示す入力装置１からカバーを取り外した状態の斜視図である。図４は、図３に示す状態の入力装置１の側面図である。なお、図３及び図４においては、本実施の形態に係る入力装置１に対して回転操作及び押圧操作のいずれも入力されていない状態（初期状態）について示している。
【００１９】
図１に示すように、本実施の形態に係る入力装置１は、概して扁平な直方体形状を有する筐体２（ハウジング２００、カバー２２０）を有し、その筐体２（カバー２２０）の上面から操作部材３の一部を露出させた状態で備えている。本実施の形態に係る入力装置１においては、このように露出させた操作部材３から操作者による回転操作及び押圧操作を受け付けるものとなっている。以下においては、図１に示す左下方側を入力装置１の前方側とし、右上方側を後方側とし、同図に示す奥側を入力装置１の左方側とし、手前側を右方側とするものとする。
【００２０】
図２に示すように、本実施の形態に係る入力装置１は、概して、筐体２を構成するハウジング２００及びカバー２２０と、操作部材３と、この操作部材３に挿通される軸４と、この軸４を回転可能に保持する支持体としてのケース５と、操作部材３の回転操作に伴って信号を出力する回転型電気機構としての回転型エンコーダ６と、操作部材３の押圧操作に伴って作動するスイッチ機構７と、操作部材３の押圧操作に伴ってクリック感触を発生させるクリック機構８とを含んで構成されている。なお、カバー２２０は、筐体２の蓋部を構成する。
【００２１】
ハウジング２００は、例えば、剛性を有する絶縁性の樹脂材料で構成され、蓋部としてのカバー２２０が被せられた状態において、その内部にケース５、回転型エンコーダ６及びスイッチ機構７等を配設可能な形状に形成されている。ハウジング２００には、左方側の側面側に回転型エンコーダ６が収容される空間２０１が設けられている。この空間２０１は、上方側に開口した形状を有している。
【００２２】
この空間２０１よりも右方側の側面寄りの端部、並びに、右方側の側面の端部には、底面部２０２から支柱部２０３ａ〜２０３ｄが立設されている。これらの支柱部２０３ａ〜２０３ｄは、同一の高さを有しており、上方側から被せられるカバー２２０の下面を支持する。また、支柱部２０３ａ、２０３ｃの前方側の面の所定位置、並びに、支柱部２０３ｂ、２０３ｄの後方側の面の所定位置には、後述するカバー２２０の係合溝２２８ａ〜２２８ｄと係合する係合片２０４ａ〜２０４ｄが設けられている（図２において係合片２０４ｂ、２０４ｄは不図示）。
【００２３】
支柱部２０３ａと支柱部２０３ｂとの間には、互いに相手側に向かって延出する内壁部２０５ａ、２０５ｂが設けられている。内壁部２０５ａ、２０５ｂは、それぞれ支柱部２０３ａ、２０３ｂから一定長さだけ延出している。これにより、両者の間には、後述する軸４の突出部４０３ａを収容する収容部２０６ａが設けられる。同様に、支柱部２０３ｃと支柱部２０３ｄとの間には、互いに相手側に向かって延出する内壁部２０５ｃ、２０５ｄが設けられ、これらの間には、後述する軸４の突出部４０３ｂを収容する収容部２０６ｂが設けられている。なお、これらの収容部２０６ａ、２０６ｂは、後述する突出部４０３ａ、４０３ｂの一対の対向面部４０４ａ、４０４ｂの幅と略同一の幅に設計されている。また、これらの収容部２０６ａ、２０６ｂは、回転規制手段の一部を構成する。
【００２４】
また、支柱部２０３ｂと支柱部２０３ｄとの間には、スイッチ機構７が配設される空間２０７が設けられている。この空間２０７において、スイッチ機構７は、底面部２０２に固定される。このようにハウジング２００に固定された状態において、後述するスイッチ機構７のウエハ７０１の外壁面は、支柱部２０３ｂ及び支柱部２０３ｄの外壁面と同一平面を形成する。なお、支柱部２０３ｂ及び支柱部２０３ｄの上面の所定位置には、それぞれ後述する捻りコイルばね１０の端部を係止する係止部２０８ａ、２０８ｂが設けられている。
【００２５】
さらに、支柱部２０３ａと支柱部２０３ｃとの間には、底面部２０２にクリック機構８を収容する収容部２０９が設けられている。収容部２０９は、上方側に開口した形状を有しており、上方側からクリック機構８を収容可能に構成されている。
【００２６】
ハウジング２００の底面部２０２における支柱部２０３ａ〜２０３ｄの内側には、板ばね９が配設されている。板ばね９は、例えば、弾性を有する金属材料に折り曲げ加工を施すことで形成される。板ばね９における側方側の端部中央には、上方に開口した一対の弾性片から成るガイド部材９０１ａ、９０１ｂが設けられている。ガイド部材９０１ａ、９０１ｂは、それぞれハウジング２００の収容部２０６ａ、２０６ｂに対応する位置に配置されている。ガイド部材９０１ａ、９０１ｂの上端部は、収容部２０６ａ、２０６ｂよりも上方側まで延出し、後述する軸４の突出部４０３ａ、４０３ｂをそれぞれ収容部２０６ａ、２０６ｂに案内する役割を果たす。
【００２７】
カバー２２０は、例えば、金属製の板状部材に折り曲げ加工を施すことで形成される。カバー２２０は、上面部２２１と、上面部２２１の端部から下方側に折り曲げられる前面部２２２、後面部２２３、側面部２２４、２２５とから構成される（図２において側面部２２４は不図示）。上面部２２１の中央には、後述する一対の保護壁としての側面部５０３、５０４を覆っている開口部２２６が形成されている。この開口部２２６から操作部材３の一部が露出する。開口部２２６の側方側には、下方側に突出する位置決め部２２７ａ〜２２７ｄが形成されている。これらの位置決め部２２７ａ〜２２７ｄは、後述するケース５の側面部５０３、５０４の一部と接触してケース５の復帰位置を決める役割を果たす。また、上面部２２１から前面部２２２にかけて、並びに、上面部２２１から後面部２２３にかけて係合溝２２８ａ〜２２８ｄが形成されている。これらの係合溝２２８ａ〜２２８ｄは、ハウジング２００の係合片２０４ａ〜２０４ｄと係合する。
【００２８】
操作部材３は、例えば、樹脂材料で構成され、概して円筒形状を有している。操作部材３の外周面の中央近傍には、操作者の操作性を向上するためのリブ３０１が設けられている。また、操作部材３の内部には、軸４が挿通される貫通孔３０２が設けられている。この貫通孔３０２には、操作部材３を軸４と一体的に回転させるための係合部３０２ａが形成されている。
【００２９】
軸４は、例えば、剛性を有する絶縁性の樹脂材料で構成され、概して、棒形状に設けられている。軸４は、操作部材３に挿入される周面部４０１と、この周面部４０１の側方側に設けられた回転軸部４０２ａ、４０２ｂと、これらの回転軸部４０２ａ、４０２ｂの端面から突出形成された突出部４０３ａ、４０３ｂとを有している。周面部４０１には、軸４を操作部材３と一体的に回転させるための係合部４０１ａが形成されている。回転軸部４０２ａ、４０２ｂは、側面視にて円形状を有している。突出部４０３ａ、４０３ｂは、軸４の回転軸線に対して少なくとも一対の対向面部４０４ａ、４０４ｂを有している。本実施の形態において、突出部４０３ａ、４０３ｂは、それぞれ正六角形状を有している。なお、突出部４０３ａは、突出部４０３ｂよりも僅かに長く設定されており、後述する第１回転体１１に連結される。なお、これらの突出部４０３ａ、４０３ｂは、回転規制手段の一部を構成する。
【００３０】
ケース５は、例えば、絶縁性の樹脂材料で構成され、上下方向に開口した形状を有する。ケース５は、操作部材３の押圧操作方向に沿った一対の側壁としての前面部５０１及び後面部５０２と、一対の保持壁としての側面部５０３、５０４とから構成されている。前面部５０１の中央には、円柱形状の突出片５０１ａが設けられている。この突出片５０１ａは、後述するクリック機構８のステム８０２に載置され、ケース５の動作をクリック機構８に伝達する役割を果たす。後面部５０２の中央には、円柱形状の突出片５０２ａが設けられている。この突出片５０２ａは、後述する捻りコイルばね１０を保持する役割を果たす。突出部５０２ａの側方側には、矩形状の一対の係合片５０２ｂ、５０２ｃが設けられている。これらの係合片５０２ｂ、５０２ｃは、後述するスイッチ機構７のスライダ７０３ａ、７０３ｂと係合すると共に、突出片５０２ａに保持された捻りコイルばね１０の一部を下方側から支持する役割を果たす。
【００３１】
側面部５０３、５０４の中央には、それぞれ上方側に開口した開口部５０３ａ、５０４ａが形成されている。これらの開口部５０３ａ、５０４ａの幅は、軸４の回転軸部４０２ａ、４０２ｂの径よりも僅かに大きく設定されており、回転軸部４０２ａ、４０２ｂを回転可能に保持するように構成されている。また、側面部５０３、５０４の上端部５０３ｂ、５０４ｂは、前面部５０１及び後面部５０２の上端部よりも高い位置に配置されており、その端面は円弧形状を有している。このように上端部５０３ｂ、５０４ｂの端面を円弧形状にしたのは、後述するようにケース５が傾倒動作を行う場合の動作をスムーズに行わせるためである。
【００３２】
捻りコイルばね１０は、一対の腕部１００１ａ、１００１ｂを有し、これらの腕部１００１ａ、１００１ｂを入力装置１の側方側に延出させた状態でケース５の突出片５０２ａに保持される。そして、入力装置１が組み立てられた状態において、腕部１００１ａ、１００１ｂの両端部がハウジング２００の係止部２０８ａ、２０８ｂに係止された状態とされる。なお、この状態において、腕部１００１ａ、１００１ｂは、ケース５の係合片５０２ｂ、５０２ｃにより下方側から支持されている。なお、この捻りコイルばね１０は、スイッチ機構７の復帰用弾性部材を構成する。
【００３３】
回転型エンコーダ６は、ハウジング２００の空間２０１の内部において、底面部２０２に固定される。回転型エンコーダ６は、外部出力端子に接続された金属板から成る接点パターンがインサート成形されたウエハ６０１と、このウエハ６０１の接点パターンと対向配置され、後述する第２回転体１２の回転に応じて接点パターン上を摺動する摺動子６０２とを有している。なお、回転型エンコーダ６には、操作部材３の回転操作に伴う軸４の回転に対応する摺動子６０２と接点パターンとの接触の態様に応じて外部に信号を出力可能に構成されている。
【００３４】
回転型エンコーダ６の内部側には、第１回転体１１及び第２回転体１２が配設されている。第１回転体１１及び第２回転体１２は、例えば、絶縁性の樹脂材料で形成される。第２回転体１２は、概して円盤形状を有し、回転型エンコーダ６側の面に摺動子６０２が固定された状態において、取付部材１３により回転型エンコーダ６に取り付けられる。第２回転体１２の内部側の面には、第１回転体１１自体を収容する溝部１２０１が形成されている。また、第１回転体１１は、溝部１２０１に沿って摺動可能にもなっている。
【００３５】
第１回転体１１は、概して矩形状を有し、第２回転体１２の溝部１２０１に収容される。第１回転体１１の内部側の面には、軸４の突出部４０３ａを収容する溝部１１０１が形成されている。また、突出部４０３ａは、溝部１１０１に沿ってスライド移動可能にもなっている。なお、この溝部１１０１は、第１回転体１１が第２回転体１２の溝部１２０１に収容された状態において溝部１２０１と直交する方向に形成されている。第１回転体１１の溝部１１０１に突出部４０３ａを収容すると共に、第２回転体１２の溝部１２０１に第１回転体１１を収容することで、軸４と第１回転体１１と、第１回転体１１と第２回転体１２とが連結されることとなる。このように連結することで、軸４の突出部４０３ａの回転が、第１回転体１１を介して軸４とは回転軸線がずれて配設された第２回転体１２を回転させるようになっており、軸４の突出部４０３ａが押圧操作によって第１回転体１１を介して上下動して、第２回転体１２に回転動作を与えないようになっている。即ち、第１回転体１１と第２回転体１２が、いわゆるオルダム継手を構成している。このようなオルダム継手を配設することで、詳細について後述するように、操作部材３の回転操作時には、その回転操作に伴う突出部４０３ａの回転を回転型エンコーダ６に伝達し、操作部材３の押圧操作時には、その押圧操作に伴う突出部４０３ａの移動を許容するものとなっている。これにより、操作部材３に対する押圧操作に伴って回転型エンコーダ６から信号が出力されるような事態を確実に防止することが可能となっている。なお、オルダム継手について、本実施の形態においては、第２回転体１２の溝部１２０１内に第１回転体１１自体が収容されることにより、第１回転体１１と第２回転体１２とが連結されているが、これに限らず第２回転体１２に溝部ではなく突部を設け、その突部に対向して第1回転体１１に設けられた溝部が突部に移動可能に嵌合されることによって連結されるものでも良い。また、回転型電気機構について、本実施の形態においては、回転型エンコーダ６として説明しているが、これに限らず接点パターンを抵抗体パターンとして回転型可変抵抗器としても良い。
【００３６】
スイッチ機構７は、外部出力端子に接続された固定接点７０１ａ、７０１ｂがインサート成形されたウエハ７０１と、このウエハ７０１の固定接点７０１ａ、７０１ｂと対向配置され、この固定接点７０１ａ、７０１ｂに摺接する摺動子７０２ａ、７０２ｂと、摺動子７０２ａ、７０２ｂが固定されるスライダ７０３ａ、７０３ｂと、これらのスライダ７０３ａ、７０３ｂをウエハ７０１の取り付ける取付部材７０４と、上述した捻りコイルばね１０とを含んで構成されている。スライダ７０３ａ、７０３ｂには、ケース５の係合片５０２ｂ、５０２ｃと係合する係合部７０３ｃが設けられ、ケース５の移動に伴って上下方向にスライド移動するものとなっている。このスイッチ機構７には、操作部材３の押圧操作に伴うケース５の押圧動作に応じて、摺動子７０２ａ、７０２ｂと固定接点７０１ａ、７０１ｂとの接触の態様に応じて外部に信号を出力可能に構成されている。
【００３７】
クリック機構８は、ハウジング２の収容部２０９に収容される概してドーム形状のラバー８０１と、このラバー８０１に上方側から被せられるステム８０２とから構成されている。入力装置１が組み立てられた状態において、ステム８０２は収容部２０９から一部が露出した状態で配設される。そして、その上面にケース５の突出片５０１ａが載置される。クリック機構８は、操作部材３に対する押圧操作に伴うケース５の移動に伴ってクリック感触を発生させる役割を果たす。
【００３８】
このような構成を有する入力装置１を組み立てると、図３に示すように、操作部材３の貫通孔３０２に挿通された軸４を保持した状態のケース５が、ハウジング２００の支柱部２０３ａ〜２０３ｄの内側に収容される。この場合において、軸４の回転軸部４０２ａ、４０２ｂは、ケース５の開口部５０３ａ、５０４ａに回転可能に保持されている。このとき、ケース５の側面部５０３、５０４の上端部５０３ｂ、５０４ｂは、回転軸部４０２ａ、４０２ｂよりも上方側の位置に配置されている。また、軸４の突出部４０３ａ、４０３ｂは、それぞれガイド部材９０１ａ、９０１ｂの内部に入り込んだ状態となっている。さらに、軸４の突出部４０３ａは、第１回転体１１及び第２回転体１２を介して回転型エンコーダ６に連結されている。
【００３９】
ケース５の前面部５０１に設けられた突出片５０１ａは、収容部２０９に収容されたクリック機構８のステム８０２の上面に載置され、ラバー８０１の弾性力により僅かに上方側に持ち上げられた状態とされている。一方、ケース５の後面部５０２に設けられた突出片５０２ａは、捻りコイルばね１０を保持している。捻りコイルばね１０の腕部１００１ａ、１００１ｂの端部は、ケース５の係止部２０８ａ、２０８ｂに係止された状態となっており、捻りコイルばね１０の付勢力により上方側に持ち上げられた状態とされている。また、ケース５の後面部５０２に設けられた係合片５０２ｂ、５０２ｃは、ハウジング２００に固定されたスイッチ機構７と対向配置され、スライダ７０３ａ、７０３ｂの係合部７０３ｃと係合した状態とされる。
【００４０】
入力装置１に対して回転操作及び押圧操作のいずれも入力されていない状態においては、突出部４０３ｂは、図４に示すように、ハウジング２００の内壁部２０５ｃ、２０５ｄよりも上方側の位置でガイド部材９０１ｂに保持され、収容部２０６ｂに入り込んでいない状態となっている。このとき、突出部４０３ｂは、ガイド部材９０１ｂの付勢力により、一対の対向面部４０４ａ、４０４ｂがガイド部材９０１ｂにより挟まれた状態で保持されている。なお、突出部４０３ａについても同様である。
【００４１】
本実施の形態に係る入力装置１においては、図３及び図４に示す初期状態から操作部材３を介して回転操作及び押圧操作を受け付ける。特に、本実施の形態に係る入力装置１においては、押圧操作として、操作部材３の中央部に対する押圧操作（以下、適宜「中央押圧操作」という）と、操作部材３の端部（以下、適宜「端部押圧操作」という）に対する押圧操作を受け付け可能に構成されている。以下、本実施の形態に係る入力装置１において、回転操作、端部押圧操作及び中央押圧操作を受け付けた場合の入力装置１の状態について説明する。
【００４２】
図５及び図６は、回転操作を受け付けた場合の入力装置１の状態について説明するための図である。図７及び図８は、端部押圧操作を受け付けた場合の入力装置１の状態について説明するための図である。図９及び図１０は、中央押圧操作を受け付けた場合の入力装置１の状態について説明するための図である。図５、図７及び図９は、それぞれの状態における入力装置１の斜視図を示し、図６、図８及び図１０は、それぞれの状態における入力装置１の側面図を示している。なお、図５〜図１０においては、説明の便宜上、カバー２２０を取り外した状態について示している。
【００４３】
[回転操作]
初期状態から回転操作を受け付けると、図５に示すように、クリック機構８のラバー８０１の弾性力、並びに、捻りコイルばね１０の付勢力により操作部材３の高さが維持された状態で操作部材３が回転する。このとき、操作部材３は、ケース５の側面部５０３、５０４の開口部５０３ａ、５０４ａの端面で回転軸部４０２ａ、４０２ｂを支持された状態で回転する。なお、ここでは、図５に示すように、入力装置１の後方側から前方側への回転操作が操作部材３に入力されているものとする。
【００４４】
図５に示す矢印方向に操作部材３が回転すると、軸４の突出部４０３ｂは、図６に示すように、反時計回転方向に回転する。このとき、突出部４０３ｂは、その頂点部がガイド部材９０１ｂを入力装置１の前後方向に退避させながら回転している。なお、この場合において、突出部４０３ｂは、収容部２０６ｂの上方側の位置に配置されていることから、ハウジング２００の内壁部２０５ｃ、２０５ｄが突出部４０３ｂの回転を規制することはない。なお、突出部４０３ａについても同様である。操作部材３の回転操作に応じて突出部４０３ａが回転すると、これに連結された第１回転体１１及び第２回転体１２を介してその回転が回転型エンコーダ６に伝達されることから、ウエハ６０１の接点パターンと摺動子６０２との接触の態様に応じた信号が外部出力されることとなる。
【００４５】
このように突出部４０３ｂが回転する際、ガイド部材９０１ｂと突出部４０３ｂの頂点部との接触を越えると、再び、隣接する一対の対向面部がガイド部材９０１ｂに挟まれた状態となる。ガイド部材９０１ｂは、板ばね９の一部であり、付勢力を有することから、一対の対向面部４０４ａ、４０４ｂから隣接する一対の対向面部に移行する際、クリック感触を発生させるものとなっている。従って、操作者は、クリック感触を得ながら、操作部材３の回転操作を行うことが可能となる。
【００４６】
このように本実施の形態に係る入力装置１においては、ガイド部材９０１ａ、９０１ｂに、突出部４０３ａ、４０３ｂを収容部２０６ａ、２０６ｂに案内する機能と、操作部材３の回転操作時にクリック感触を発生させる機能とを持たせるようにしたので、入力装置１内の部品点数を削減することができ、製造に要するコストを低減することが可能となる。
【００４７】
[端部押圧操作]
初期状態から端部押圧操作を受け付けると、図７に示すように、クリック機構８のラバー８０１の弾性力、並びに、捻りコイルばね１０の付勢力に抗して操作部材３が下方側に押し込まれる。なお、ここでは、図７に示すように、操作部材３の右方側端部への端部押圧操作が入力されているものとする。このため、図７に示すように、操作部材３の右方側端部が下方側に傾倒した状態となり、これに応じてケース５の右方側端部が下方側に傾倒した状態となっている。なお、このように傾倒した操作部材３及びケース５の詳細な状態については後述する。
【００４８】
このようにケース５が傾倒した場合、ケース５の前面部５０１に設けられた突出片５０１ａによりクリック機構８のステム８０２が押し下げられ、ラバー８０１が弾性変形される。また、ケース５の後面部５０２に設けられた係合片５０２ｃのみが下方側に移動することから、この係合片５０２ｃと係合するスイッチ機構７のスライダ７０３ｂのみが下方側に移動する。これにより、スライダ７０３ｂに固定された摺動子７０２ｂがウエハ７０１に設けられた固定接点７０１ｂに接触し、これに応じた信号が外部出力されることとなる。
【００４９】
図７に示すように操作部材３の右方側端部が下方側に押圧されると、軸４の突出部４０３ｂは、図８に示すように、ガイド部材９０１ｂにより対向面部４０４ａ、４０４ｂを挟まれた状態で下方側に案内され、収容部２０６ｂに収容される。この場合において、上述のように、対向面部４０４ａ、４０４ｂの幅と、収容部２０６ｂとの幅とは、略同一の幅に設計されていることから、収容部２０６ｂに収容された状態において突出部４０３ｂが回転することはない。なお、このとき、突出部４０３ｂは、ガイド部材９０１ｂにより収容部２０６ｂに案内されることから、操作部材３に対する押圧操作に応じて確実に突出部４０３ｂを収容部２０６ｂに収容することが可能となる。
【００５０】
この場合において、軸４の突出部４０３ａは、突出部４０３ｂとは逆に上方側に移動している。このように突出部４０３ａが移動する際、この突出部４０３ａに連結された第１回転体１１は、図７に示すように、第２回転体１２の溝部１２０１内を上方側にスライド移動し、第２回転体１２にはその移動力が伝達されない。このため、操作部材３に端部押圧操作が入力された場合においても、これに伴う突出部４０３ａの移動が回転型エンコーダ６に伝達されることはない。
【００５１】
なお、操作部材３の左方側端部への端部押圧操作が入力されている場合には、上述した場合と同様に、軸４の突出部４０３ａが収容部２０６ａに収容されることでその回転が規制される。この場合、突出部４０３ａに連結される第１回転体１１は、第２回転体１２の溝部１２０１内を下方側にスライド移動する。このため、上述した場合と同様に、第２回転体１２にその移動力が伝達されることはないので、突出部４０３ａの移動が回転型エンコーダ６に伝達されることはない。
【００５２】
[中央押圧操作]
初期状態から中央押圧操作を受け付けると、図９に示すように、クリック機構８のラバー８０１の弾性力、並びに、捻りコイルばね１０の付勢力に抗して操作部材３が下方側に押し込まれる。このように中央部が下方側に押圧されると、操作部材３は、初期状態における水平状態を維持したまま下方側に移動する。これに応じてケース５も水平状態を維持したまま下方側に移動する。
【００５３】
このようにケース５が下方側に移動した場合、ケース５が傾倒した場合と同様に、ケース５の前面部５０１に設けられた突出片５０１ａによりクリック機構８のステム８０２が押し下げられ、ラバー８０１が弾性変形される。また、ケース５の後面部５０２に設けられた係合片５０２ｂ、５０２ｃが下方側に移動することから、これらの係合片５０２ｂ、５０２ｃと係合するスイッチ機構７のスライダ７０３ａ、７０３ｂが下方側に移動する。これにより、スライダ７０３ａ、７０３ｂに固定された摺動子７０２ａ、７０２ｂがウエハ７０１に設けられた固定接点７０１ａ、７０１ｂに接触し、これに応じた信号が外部出力されることとなる。
【００５４】
図９に示すように操作部材３が下方側に押圧されると、軸４の突出部４０３ａ、４０３ｂは、図１０に示すように、ガイド部材９０１ａ、９０１ｂにより対向面部４０４ａ、４０４ｂを挟まれた状態で下方側に案内され、収容部２０６ａ、２０６ｂに収容される。この場合において、上述のように、対向面部４０４ａ、４０４ｂの幅と、収容部２０６ａ、２０６ｂとの幅とは、略同一の幅に設計されていることから、収容部２０６ａ、２０６ｂに収容された状態において突出部４０３ａ、４０３ｂが回転することはない。
【００５５】
ここで、端部押圧操作に伴って傾倒した操作部材３及びケース５の状態について説明する。本実施の形態に係る入力装置１においては、ケース５の側面部５０３、５０４の上端部５０３ｂ、５０４ｂをカバー２２０の下面に当接させ、その当接点を傾倒支点とすることで操作部材３における傾倒量を大きく確保している。以下、このように操作部材３における傾倒量を確保するための構造について図１１〜図１８を用いて説明する。
【００５６】
図１１〜図１４は、本実施の形態に係る入力装置１における初期状態の上面図及び断面図である。図１１は、本実施の形態に係る入力装置１における初期状態の上面図である。図１２は、図１１に示す一点鎖線Ａにおける断面図である。図１３は、図１１に示す入力装置１からカバー２２０を取り外した状態の上面図である。図１４は、図１３に示す一点鎖線Ｂにおける断面図である。
【００５７】
図１５〜図１８は、本実施の形態に係る入力装置１に端部押圧操作が入力された場合の上面図及び断面図である。図１５は、本実施の形態に係る入力装置１に端部押圧操作が入力された場合の上面図である。図１６は、図１５に示す一点鎖線Ｃにおける断面図である。図１７は、図１５に示す入力装置１からカバー２２０を取り外した状態の上面図である。図１８は、図１７に示す一点鎖線Ｄにおける断面図である。
【００５８】
図１１及び図１２に示すように、初期状態においては、操作部材３は、カバー２２０の開口部２２６から上端部を露出した状態でケース５の側面部５０３、５０４に軸４を介して保持されている。そして、操作部材３を保持するケース５は、捻りコイルばね１０の付勢力等によりハウジング２００に対して水平状態を維持した状態で保持されている。この場合において、ケース５は、図１２に示すように、側面部５０３、５０４の上端部５０３ｂ、５０４ｂがカバー２２０の下面に接触した状態で保持されている。なお、このように保持されるケース５が傾倒可能な空間は、ガイド部材９０１ａと側面部５０３との間（ガイド部材９０１ｂと側面部５０４との間）の空間Ｓ１に限られている。
【００５９】
カバー２２０に設けられた位置決め部２２７ａ、２２７ｃは、それぞれ側面部５０３、５０４の上端部５０３ｂ、５０４ｂの側方側の位置に配置されている。位置決め部２２７ａ、２２７ｃは、上端部５０３ｂ、５０４ｂと極めて僅かなギャップを挟んで配置されており、傾倒動作が解除され、捻りコイルばね１０の付勢力等で復帰した上端部５０３ｂ、５０４ｂの位置を規制してケース５の位置決めを行うものとなっている。
【００６０】
また、図１３及び図１４に示すように、初期状態においては、操作部材３に挿通された軸４は、ケース５に対して水平状態を維持した状態で保持されている。軸４の突出部４０３ａは、その軸線方向の外側に配置された第１回転体１１に連結されている。この場合において、突出部４０３ａは、その端面が第１回転体１１の溝部１１０１の平面と平行になるように対向配置されている。なお、このように保持される軸４（操作部材３）が傾倒可能な空間は、突出部４０３ａの端面と、溝部１１０１の平面との間の空間Ｓ２に限られている。なお、この空間Ｓ２は、上述した空間Ｓ１よりも狭く設定されている。
【００６１】
図１１〜図１４に示す状態から端部押圧操作（右方側端部の押圧操作）が入力されると、図１５及び図１６に示すように、操作部材３の右方側端部が押し下げられる。この場合において、操作部材３は、図１６に示すように、ケース５の側面部５０３の上端部５０３ｂとカバー２２０の下面が当接し、その当接点を傾倒支点として傾倒する。すなわち、初期状態から側面部５０３の上端部５０３ｂの位置を維持した状態で、側面部５０４のみが下方側に移動する。このように一方の側面部５０３の位置を維持した状態で、他方の側面部５０４のみを下方側に移動させることにより、限られた空間Ｓ１を有効に活用して操作部材３の傾倒量を大きく確保している。
【００６２】
なお、上述したように、軸４（操作部材３）が傾倒可能な空間Ｓ２は、ケース５が傾倒可能な空間Ｓ１よりも狭く設定されている。このため、ケース５が空間Ｓ１を最大限に傾倒した場合には、軸４の傾倒動作が規制されることとなる。本実施の形態に係る入力装置１においては、このような軸４の傾倒動作の規制を第１回転体１１の移動で吸収する。すなわち、図１７及び図１８に示すように、軸４の傾倒量に応じて第１回転体１１を第２回転体１２の溝部１２０１内で上方側に摺動させることで軸４の傾倒量を確保している。これにより、ケース５が傾倒可能な空間Ｓ１よりも狭い空間Ｓ２で軸４を傾倒可能とする場合においても、操作部材３の傾倒量を大きく確保している。
【００６３】
次に、本実施の形態に係る入力装置１が有するクリック機構８の動作について説明する。上述したように、本実施の形態に係る入力装置１においては、操作部材３に対して端部押圧操作又は中央押圧操作が入力されると、ケース５の突出片５０１ａが下方側に移動し、ステム８０２を介してラバー８０１が弾性変形するように構成されている。クリック機構８においては、このラバー８０１の弾性変形に応じてクリック感触を発生させる。以下、このようなクリック機構８の動作について図１９〜図２１を用いて説明する。
【００６４】
図１９〜図２１は、本実施の形態に係る入力装置１が有するクリック機構８の動作について説明するための断面図である。図１９は、本実施の形態に係る入力装置１における初期状態の断面図である。図２０は、本実施の形態に係る入力装置１に端部押圧操作が入力された場合の断面図である。図２１は、本実施の形態に係る入力装置１に中央押圧操作が入力された場合の断面図である。なお、図１９〜図２１においては、クリック機構８の中央部における断面を、入力装置１の前方側から見た場合について示している。
【００６５】
図１９に示すように、初期状態においては、ケース５の前面部５０１に設けられた突出片５０１ａは、クリック機構８のステム８０２の上面に載置された状態となっている。このとき、ラバー８０１は、ステム８０２を上方側に持ち上げた状態となっている。
【００６６】
図１９に示す初期状態から端部押圧操作が入力されると、図２０に示すように、操作部材３の下方側への移動に伴ってケース５も下方側に移動する。これにより、ケース５の前面部５０１に設けられた突出片５０１ａも下方側に移動し、ステム８０２を押し下げる。ラバー８０１は、このステム８０２の下方側への移動に応じて所定位置で反転し、この反転時にクリック感触を発生させるものとなっている。従って、操作者は、クリック感触を得ながら、端部押圧操作を行うことが可能となる。
【００６７】
同様に、図１９に示す初期状態から中央押圧操作が入力されると、図２１に示すように、操作部材３の下方側への移動に伴ってケース５も下方側に移動する。これにより、ケース５の前面部５０１に設けられた突出片５０１ａも下方側に移動し、ステム８０２を押し下げる。ラバー８０１は、このステム８０２の下方側への移動に応じて所定位置で反転し、この反転時にクリック感触を発生させるものとなっている。従って、操作者は、クリック感触を得ながら、中央押圧操作を行うことが可能となる。
【００６８】
このように本実施の形態に係る入力装置１においては、スイッチ機構７とは別にクリック機構８を配設し、このクリック機構８により操作部材３の押圧操作に伴うケース５の動作に応じてクリック感触を発生させるようにしたので、例えば、スイッチ機構７の反転動作等によりクリック感触を発生させる場合と異なり、操作部材３の中央押圧操作又は端部押圧操作が行われた場合においても、均一なクリック感触を操作者に付与することが可能となっている。
【００６９】
このように本実施の形態に係る入力装置１によれば、操作部材３の押圧操作時に軸４の突出部４０３ａ、４０３ｂが、剛性を有する材料で形成され、突出部４０３ａ、４０３ｂの外形に応じた形状を有する剛性の収容部２０６ａ、２０６ｂに収容されることから、操作部材３に接線方向の力が加わった場合においても操作部材３が回転することがない。このため、押圧操作された状態で操作部材３が回転して回転型エンコーダ６から誤信号が発生するのを確実に防止することが可能となる。
【００７０】
特に、本実施の形態に係る入力装置１においては、操作部材３の押圧操作時に、軸４の突出部４０３ａ、４０３ｂに設けられた一対の対向面部４０４ａ、４０４ｂが収容部２０６ａ、２０６ｂに収容され、操作部材３の回転が規制されることから、簡単な構成で確実に押圧操作された状態で操作部材３が回転するのを防止でき、当該回転に起因する誤信号の発生を防止することが可能となる。
【００７１】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００７２】
例えば、上記実施の形態においては、操作部材３の左右端部を押圧操作して、支持体（ケース５）が左右傾倒できる構成について説明しているが、どちらか一方が傾倒するものでも良く、その場合には、傾倒支点となる側の支持体（ケース５）における保持壁（側面部５０３、５０４）が蓋部（カバー２２０）に覆われていれば良い。
【００７３】
また、上記実施の形態においては、操作部材３と軸４とを別部材として構成する場合について説明しているが、操作部材３の構成についてはこれに限定されるものではなく、適宜変更が可能である。例えば、上述した操作部材３と軸４とを一体的として構成するようにしても良い。この場合には、入力装置１内の部品点数を低減できると共に、その組み立てに要する時間及びコストを低減することが可能となる。
【図面の簡単な説明】
【００７４】
【図１】本発明の一実施の形態に係る複合操作入力装置の外観を示す斜視図である。
【図２】上記実施の形態に係る複合操作入力装置の分解斜視図である。
【図３】図１に示す複合操作入力装置からカバーを取り外した状態の斜視図である。
【図４】図３に示す状態の複合操作入力装置の側面図である。
【図５】上記実施の形態に係る複合操作入力装置において、回転操作を受け付けた場合の斜視図である。
【図６】上記実施の形態に係る複合操作入力装置において、回転操作を受け付けた場合の側面図である。
【図７】上記実施の形態に係る複合操作入力装置において、端部押圧操作を受け付けた場合の斜視図である。
【図８】上記実施の形態に係る複合操作入力装置において、端部押圧操作を受け付けた場合の側面図である。
【図９】上記実施の形態に係る複合操作入力装置において、中央押圧操作を受け付けた場合の斜視図である。
【図１０】上記実施の形態に係る複合操作入力装置において、中央押圧操作を受け付けた場合の側面図である。
【図１１】上記実施の形態に係る複合操作入力装置における初期状態の上面図である。
【図１２】図１１に示す一点鎖線Ａにおける断面図である。
【図１３】図１１に示す複合操作入力装置からカバーを取り外した状態の上面図である。
【図１４】図１３に示す一点鎖線Ｂにおける断面図である。
【図１５】上記実施の形態に係る複合操作入力装置に端部押圧操作が入力された場合の上面図である。
【図１６】図１５に示す一点鎖線Ｃにおける断面図である。
【図１７】図１５に示す複合操作入力装置からカバーを取り外した状態の上面図である。
【図１８】図１７に示す一点鎖線Ｄにおける断面図である。
【図１９】上記実施の形態に係る複合操作入力装置における初期状態の断面図である。
【図２０】上記実施の形態に係る複合操作入力装置に端部押圧操作が入力された場合の断面図である。
【図２１】実施の形態に係る複合操作入力装置に中央押圧操作が入力された場合の断面図である。
【符号の説明】
【００７５】
１  複合操作入力装置（入力装置）
２  筐体
２００  ハウジング
２０１  空間
２０２  底面部
２０３ａ〜２０３ｄ  支柱部
２０４ａ〜２０４ｄ  係合片
２０５ａ〜２０５ｄ  内壁部
２０６ａ、２０６ｂ  収容部（回転規制手段）
２０７  空間
２０８ａ、２０８ｂ  係止部
２０９  収容部
２２０  カバー（蓋部）
２２１  上面部
２２２  前面部
２２３  後面部
２２４、２２５  側面部
２２６  開口部
２２７ａ〜２２７ｄ  位置決め部
２２８ａ〜２２８ｄ  係合溝
３  操作部材
３０１  リブ
３０２  貫通孔
４  軸
４０１  周面部
４０２ａ、４０２ｂ  回転軸部
４０３ａ、４０３ｂ  突出部（回転規制手段）
４０４ａ、４０４ｂ  対向面部
５  ケース（支持体）
５０１  前面部（側壁）
５０１ａ  突出片
５０２  後面部（側壁）
５０２ａ  突出片
５０２ｂ、５０２ｃ  係合片
５０３、５０４  側面部（保持壁）
５０３ａ、５０４ａ  開口部
５０３ｂ、５０４ｂ  上端部
６  回転型エンコーダ（回転型電気機構）
６０１  ウエハ
６０２  摺動子
７  スイッチ機構
７０１  ウエハ
７０１ａ、７０１ｂ  固定接点
７０２ａ、７０２ｂ  摺動子
７０３ａ、７０３ｂ  スライダ
７０４  取付部材
８  クリック機構
８０１  ラバー
８０２  ステム
９  板ばね
９０１ａ、９０１ｂ  ガイド部材
１０  捻りコイルばね（復帰用弾性部材）
１００１ａ、１００１ｂ  腕部
１１  第１回転体
１１０１  溝部
１２  第２回転体
１２０１  溝部
【図１】
2009152036.tif 000003
【図２】
2009152036.tif 000004
【図３】
2009152036.tif 000005
【図４】
2009152036.tif 000006
【図５】
2009152036.tif 000007
【図６】
2009152036.tif 000008
【図７】
2009152036.tif 000009
【図８】
2009152036.tif 000010
【図９】
2009152036.tif 000011
【図１０】
2009152036.tif 000012
【図１１】
2009152036.tif 000013
【図１２】
2009152036.tif 000014
【図１３】
2009152036.tif 000015
【図１４】
2009152036.tif 000016
【図１５】
2009152036.tif 000017
【図１６】
2009152036.tif 000018
【図１７】
2009152036.tif 000019
【図１８】
2009152036.tif 000020
【図１９】
2009152036.tif 000021
【図２０】
2009152036.tif 000022
【図２１】
2009152036.tif 000023